(57)【要約】  本開示は、１つまたは複数のセンシング要素を含む１つまたは複数のイヤフォンを備えるヘッドセットを備える。ヘッドセットは、また音声伝送のために音声信号を記録するための１つまたは複数の音声マイクロフォンを含む。ヘッドセットはまた、信号プロセッサに結合されたイヤフォンおよび音声マイクロフォンを含む。信号プロセッサは、ヘッドセットの装着位置を決定するためにセンシング要素を用いるよう構成される。そして信号プロセッサは、ノイズキャンセルのための信号モデルを選択する。信号モデルは、決定された装着位置に基づいて複数の信号モデルから選択される。信号プロセッサはまた、音声伝送前に音声信号からのノイズを軽減するために選択された信号モデルを適用する。
2019537398.tif 000002
【特許請求の範囲】
【請求項１】
ヘッドセットであって、
１つまたは複数のセンシング要素を含む１つまたは複数のイヤフォンと、
音声伝送のために音声信号を記録するための１つまたは複数の音声マイクロフォンと、
前記イヤフォンと前記音声マイクロフォンとに結合された信号プロセッサとを備え、前記信号プロセッサは、
前記センシング要素を用いて前記ヘッドセットの装着位置を決定し、
ノイズキャンセルのための信号モデルを選択するように構成され、前記信号モデルは、前記決定された装着位置に基づいて複数の信号モデルから選択され、前記信号プロセッサはさらに、
前記選択された信号モデルを適用して、音声伝送前に前記音声信号からのノイズを軽減する、ヘッドセット。
【請求項２】
前記センシング要素は、フィードフォワード（ＦＦ）マイクロフォンおよびフィードバック（ＦＢ）マイクロフォンを含み、前記ヘッドセットの前記装着位置は、ＦＦマイクロフォン信号とＦＢマイクロフォン信号との間の差分に基づき決定される、請求項１に記載のヘッドセット。
【請求項３】
前記センシング要素は、光学センサ、容量センサ、赤外線センサ、またはそれらの組み合わせを含む、請求項１に記載のヘッドセット。
【請求項４】
前記１つまたは複数のイヤフォンは、左イヤフォンおよび右イヤフォンを含み、前記複数の信号モデルは、左イヤフォン係合モデル、右イヤフォン係合モデル、デュアルイヤフォン係合モデル、および非イヤフォン係合モデルを含む、請求項１に記載のヘッドセット。
【請求項５】
前記デュアルイヤフォン係合モデルは、左イヤフォンのフィードフォワード（ＦＦ）マイクロフォンおよび右イヤフォンのＦＦマイクロフォンを、前記左イヤフォンおよび前記右イヤフォンが係合するときにノイズ信号を前記音声信号から分離するためのブロードサイドビームフォーマとして用いることによって適用される、請求項４に記載のヘッドセット。
【請求項６】
前記音声マイクロフォンは、前記左イヤフォンおよび前記右イヤフォンに結合されたラペルユニット内に配置され、前記デュアルイヤフォン係合モデルは、前記音声マイクロフォンを、前記左イヤフォンおよび前記右イヤフォンが係合するときにノイズ信号を前記音声信号から分離するための垂直エンドファイアビームフォーマとして用いることによって適用される、請求項４に記載のヘッドセット。
【請求項７】
前記デュアルイヤフォン係合モデルは、前記左イヤフォンおよび前記右イヤフォンが係合するときにノイズ信号を前記音声信号から分離するために、左イヤフォンのフィードフォワード（ＦＦ）マイクロフォン信号および右イヤフォンのＦＦマイクロフォン信号を相関させることによって適用される、請求項４に記載のヘッドセット。
【請求項８】
前記非イヤフォン係合モデルは、前記左イヤフォンおよび前記右イヤフォンが両方外れているときに追加されたノイズを軽減するために、ビームフォーマの使用を中止することによって適用される、請求項４に記載のヘッドセット。
【請求項９】
前記左イヤフォン係合モデルは、左イヤフォンのフィードフォワード（ＦＦ）マイクロフォンおよび左イヤフォンのフィードバック（ＦＢ）マイクロフォンを、前記左イヤフォンが係合しており前記右イヤフォンが外されているときに右イヤフォンマイクロフォンを考慮することなくノイズ信号を前記音声信号から分離するために用いることによって適用される、請求項４に記載のヘッドセット。
【請求項１０】
前記音声マイクロフォンは、前記左イヤフォンおよび前記右イヤフォンに結合されたラペルユニット内に配置され、前記左イヤフォン係合モデルは、前記音声マイクロフォンを、前記左イヤフォンが係合しており前記右イヤフォンが外されているときにノイズ信号を前記音声信号から分離するための左指向性エンドファイアビームフォーマとして用いることによって適用される、請求項４に記載のヘッドセット。
【請求項１１】
前記右イヤフォン係合モデルは、右イヤフォンのフィードフォワード（ＦＦ）マイクロフォンおよび右イヤフォンのフィードバック（ＦＢ）マイクロフォンを、前記右イヤフォンが係合しており前記左イヤフォンが外されているときに左イヤフォンマイクロフォンを考慮することなくノイズ信号を前記音声信号から分離するために用いることによって適用される、請求項４に記載のヘッドセット。
【請求項１２】
前記音声マイクロフォンは、前記左イヤフォンおよび前記右イヤフォンに結合されたラペルユニット内に配置され、前記右イヤフォン係合モデルは、前記音声マイクロフォンを、前記右イヤフォンが係合しており前記左イヤフォンが外されているときにノイズ信号を前記音声信号から分離するための右指向性エンドファイアビームフォーマとして用いることによって適用される、請求項４に記載のヘッドセット。
【請求項１３】
方法であって、
ヘッドセットのセンシング要素を、前記ヘッドセットの装着位置を決定するために用いることと、
ノイズキャンセルのための信号モデルを選択することとを備え、前記信号モデルは前記決定された装着位置に基づいて複数の信号モデルから選択され、前記方法はさらに、
音声信号を前記ヘッドセットに結合された１つまたは複数の音声マイクロフォンにおいて記録することと、
前記選択された信号モデルを適用して、前記音声信号からの音声伝送前にノイズを軽減することとを備える、方法。
【請求項１４】
前記ヘッドセットは、左イヤフォンおよび右イヤフォンを含み、前記複数の信号モデルは、左イヤフォン係合モデル、右イヤフォン係合モデル、デュアルイヤフォン係合モデル、および非イヤフォン係合モデルを含む、請求項１３に記載の方法。
【請求項１５】
前記デュアルイヤフォン係合モデルを適用することは、左イヤフォンのフィードフォワード（ＦＦ）マイクロフォンおよび右イヤフォンのＦＦマイクロフォンを、前記左イヤフォンおよび前記右イヤフォンが係合するときにノイズ信号を前記音声信号から分離するためのブロードサイドビームフォーマとして用いることを含む、請求項１４に記載の方法。
【請求項１６】
前記音声マイクロフォンは、前記左イヤフォンおよび前記右イヤフォンに結合されたラペルユニット内に配置され、前記デュアルイヤフォン係合モデルを適用することは、前記音声マイクロフォンを、前記左イヤフォンおよび前記右イヤフォンが係合するときにノイズ信号を前記音声信号から分離するための垂直エンドファイアビームフォーマとして用いることを含む、請求項１４に記載の方法。
【請求項１７】
前記デュアルイヤフォン係合モデルを適用することは、前記左イヤフォンおよび前記右イヤフォンが係合するときにノイズ信号を前記音声信号から分離するために、左イヤフォンのフィードフォワード（ＦＦ）マイクロフォン信号および右イヤフォンのＦＦマイクロフォン信号を相関させることを含む、請求項１４に記載の方法。
【請求項１８】
前記非イヤフォン係合モデルを適用することは、前記左イヤフォンおよび前記右イヤフォンが両方外れているときに追加されたノイズを軽減するために、ビームフォーマの使用を中止することを含む、請求項１４に記載の方法。
【請求項１９】
前記右イヤフォン係合モデルを適用することは、右イヤフォンのフィードフォワード（ＦＦ）マイクロフォンおよび右イヤフォンのフィードバック（ＦＢ）マイクロフォンを、前記右イヤフォンが係合しており前記左イヤフォンが外されているときに左イヤフォンマイクロフォンを考慮することなくノイズ信号を前記音声信号から分離するために用いることを含む、請求項１４に記載の方法。
【請求項２０】
前記音声マイクロフォンは、前記左イヤフォンおよび前記右イヤフォンに結合されたラペルユニット内に配置され、前記左イヤフォン係合モデルを適用することは、前記音声マイクロフォンを、前記左イヤフォンが係合しており前記右イヤフォンが外されているときにノイズ信号を前記音声信号から分離するための左指向性エンドファイアビームフォーマとして用いることを含む、請求項１４に記載の方法。
【発明の詳細な説明】
【背景技術】
【０００１】
背景
一般にアクティブノイズキャンセル（ＡＮＣ）ヘッドセットは、各耳におけるマイクロフォンを用いるように設計される。マイクロフォンによって捕捉される信号は、ヘッドセットの装着者に対する周囲ノイズを減少させるために、補正アルゴリズムに関して用いられる。ＡＮＣヘッドセットはまた、電話をするときに用いられ得る。通話のために使用されたＡＮＣヘッドセットは、耳内の局所的ノイズを減らし得るが、環境における周囲ノイズは、遠隔受信機に変形されずに伝播される。この状況は、遠隔受信機のユーザによって体験される低下された通話品質をもたらし得る。
【発明の概要】
【発明が解決しようとする課題】
【０００２】
詳細な説明
アップリンクノイズキャンセルは、伝送された周囲ノイズ軽減するために用いられ得る。しかし、ヘッドセット上で動作するアップリンクノイズキャンセル処理は、ある種の課題に直面している。たとえば、電話を用いるユーザは、伝送マイクロフォンを彼らの口の近くかつスピーカを彼らの耳の近くに保持することを仮定されることができる。そしてビームフォーミングといった空間的フィルタリング処理を用いるノイズキャンセルアルゴリズムは、ノイズをユーザの口近くで記録された信号からフィルタするために用いられ得る。対照的に、ヘッドセットは複数構成において装着され得る。そのため、ヘッドセット信号プロセッサは、音声マイクロフォンに対するユーザの口の相対的方向を決定できない可能性がある。従って、ヘッドセット信号プロセッサは、ノイズを除去するために、どの空間的ノイズ補正アルゴリズムを用いるべきかを決定できない可能性がある。誤った補正アルゴリズムを選択することは、ユーザスピーチを弱め、ノイズ信号を増幅さえしかねないということに留意すべきである。
【課題を解決するための手段】
【０００３】
ここに開示されるのは、装着位置を決定し、装着位置に基づきスピーチ伝送中のアップリンクノイズキャンセルのための信号モデルを選択するように構成されるヘッドセットである。たとえば、左耳内に左イヤフォンがありおよび右耳内に右イヤフォンがある状態で、ユーザは、ヘッドセットを装着し得る。そのような場合には、ヘッドセットは、さまざまな音声アクティビティ検出（ＶＡＤ）技術を用い得る。たとえば、左イヤフォンにおけるフィードフォワード（ＦＦ）マイクロフォンおよび右イヤフォンにおけるＦＦマイクロフォンは、ユーザの左側およびユーザの右側からのノイズを弱めるためにブロードサイドビームフォーマとして用いられることができる。さらに、ラペルマイクロフォンは、ユーザの音声を周囲ノイズからさらに分離するために、垂直エンドファイアビームフォーマとして用いられることができる。加えて、ユーザの耳の外でＦＦマイクロフォンによって記録された信号は、ノイズをオーディオ信号から分離するために、ユーザの耳の中に配置されたフィードバック（ＦＢ）マイクロフォンと比較されることができる。対照的に、ユーザがイヤフォンを単一の耳内で用いるときに、ブロードサイドビームフォーマは、オフにされ得る。さらに、エンドファイアビームフォーマは、１つのイヤフォンが外されたときに、ラペルマイクロフォンの予測される位置に依存してユーザの口に向けられ得る。また、外されたイヤフォン内のＦＦおよびＦＢマイクロフォンは、ＡＮＣ目的のために強調され得ずおよび／または無視され得る。最後に、ＡＮＣは、両方のイヤフォンが外されるときに、外され得る。装着位置は、任意のセンシング要素を用いることによっておよび／または各耳に対するＦＦおよびＦＢ信号を比較することによって決定され得る。
【０００４】
図面の簡単な説明
本開示の実施形態の局面、特徴および利点は、添付の図面を参照した以下の実施形態の説明から明らかになるであろう。
【図面の簡単な説明】
【０００５】
【図１】アップリンク伝送中のノイズキャンセルのための例示的ヘッドセットの概略図である。
【図２】ノイズキャンセルを行うための例示的デュアルイヤフォン係合モデルの概略図である。
【図３】ノイズキャンセルを行うための例示的右イヤフォン係合モデルの概略図である。
【図４】ノイズキャンセルを行うための例示的左イヤフォン係合モデルの概略図である。
【図５】ノイズキャンセルを行うための例示的非イヤフォン係合モデルの概略図である。
【図６】アップリンク伝送中のノイズキャンセルを行うための例示的方法のフローチャートである。
【発明を実施するための形態】
【０００６】
図１は、アップリンク伝送中のノイズキャンセルのための例示的ヘッドセット１００の概略図である。ヘッドセット１００は、右イヤフォン１１０、左イヤフォン１２０、およびラペルユニット１３０を含む。しかし、ここに開示される特定の機構は、単一のイヤフォンを含む例示的ヘッドセットおよび／またはラペルユニット１３０を有さない例において用いられ得るということに留意すべきである。ヘッドセット１００は、たとえばラペルユニット１３０が音楽ファイルを再生するデバイスに結合されたときに、ローカルＡＮＣを行うように構成されてもよい。ヘッドセット１００はまた、たとえばラペルユニット１３０が通話可能なデバイス（たとえばスマートフォン）に結合されたときにリンクされないノイズキャンセルを行ってもよい。
【０００７】
右イヤフォン１１０は、音楽および／または遠隔呼び出し元からの音声といったオーディオデータを再生することができるデバイスである。右イヤフォン１１０は、ユーザの外耳道に隣接して（たとえば耳の上に）配置されることができるヘッドフォンとして作られ得る。右イヤフォン１１０は、差込式イヤフォンとして作られ得、この場合、右イヤフォン１１０の少なくともいくらかの部分は、ユーザの外耳道内（たとえば耳の中）に配置され得る。右イヤフォン１１０は、少なくともスピーカ１１５およびＦＦマイクロフォン１１１を含む。右イヤフォン１１０はまた、ＦＢマイクロフォン１１３および／またはセンサ１１７を含み得る。スピーカ１１５は、音声信号、オーディオ信号、および／またはＡＮＣ信号をユーザの外耳道に向かって伝播させるための音波に変換可能な任意のトランスデューサである。
【０００８】
ＡＮＣ信号は、周囲ノイズを運ぶ波形を破壊的に妨害し、それによってノイズをユーザの観点からキャンセルするために生成されるオーディオ波形である。ＡＮＣ信号は、ＦＦマイクロフォン１１１および／またはＦＢマイクロフォン１１３によって記録されたデータに基づいて生成され得る。ＦＢマイクロフォン１１３およびスピーカ１１５は、右イヤフォン１１０の近位壁上に一緒に配置される。例に依存して、ＦＢマイクロフォン１１３およびスピーカ１１５は、（たとえば差込式イヤフォン用に）係合されるときにユーザの外耳道内側に配置されるか、（たとえばイヤフォン用に）係合されるときに音響封止されたチャンバにおいてユーザの外耳道に隣接して配置される。ＦＢマイクロフォン１１３は、ユーザの外耳道に入射する音波を記録するように構成される。それゆえ、ＦＢマイクロフォン１１３は、ユーザによって知覚される周囲ノイズ、オーディオ信号、リモート音声信号、ＡＮＣ信号、および／またはサイドバンド信号とも称され得るユーザの音声を検出する。ユーザによって知覚される周囲ノイズおよび破壊的妨害のために破壊されないＡＮＣ信号の任意の部分の両方をＦＢマイクロフォン１１３が検出するときに、ＦＢマイクロフォン１１３は、フィードバック情報を含む信号を送り得る。ＦＢマイクロフォン１１３の信号は、変化する条件に適合し、より良好に周囲ノイズをキャンセルするために、ＡＮＣ信号を調整するために使用されることができる。
【０００９】
ＦＦマイクロフォン１１１は、イヤフォンの遠位壁上に配置され、例に応じてユーザの外耳道および／または音響封止されたチャンバの外に維持される。ＦＦマイクロフォン１１１は、右イヤフォンが係合されるときに、ＡＮＣ信号から音響的に隔離され、リモート音声信号およびオーディオ信号から一般に隔離される。ＦＦマイクロフォン１１１は、周囲ノイズをユーザ音声／サイドバンドとして記録する。従って、ＦＦマイクロフォン１１１信号は、ＡＮＣ信号を生成するために使用されることができる。ＦＦマイクロフォン１１１の信号は、ＦＢマイクロフォン１１３の信号よりも高い周波数ノイズに対してより良好に適合可能である。しかし、ＦＦマイクロフォン１１１は、ＡＮＣ信号の結果を検出できず、それによって右イヤフォン１１０と耳との間の貧弱な音響封止といった非理想的な状況に適合できない。そのため、ＦＦマイクロフォン１１１およびＦＢマイクロフォン１１３は、有効なＡＮＣ信号を作成するために一緒に使用されることができる。
【００１０】
右イヤフォン１１０は、耳外れ検出（ＯＥＤ）をサポートするためのセンシング要素を含み得る。たとえば、ＡＮＣのための信号処理は、右イヤフォン１１０（および左イヤフォン２３０）が正しく係合されることを仮定する。いくつかのＡＮＣ処理は、ユーザが１つまたは複数のイヤフォンを取り外すときに予測されるように機能し得ない。それゆえ、ヘッドセット１００は、イヤフォンが正しく係合されていないことを決定するためにセンシング要素を用いる。いくつかの例では、ＦＢマイクロフォン１１３およびＦＦマイクロフォン１１１は、センシング要素として用いられる。そのような場合には、右イヤフォン１１０が係合されるときにイヤフォン間の音響絶縁により、ＦＢマイクロフォン１１３の信号およびＦＦマイクロフォン１１１の信号は異なる。ＦＢマイクロフォン１１３の信号およびＦＦマイクロフォン１１１の信号が同じであるときに、ヘッドセット１００は、対応するイヤフォン１１０が係合されていないと決定することができる。その他の例では、センサ１１７は、ＯＥＤをサポートするためのセンシング要素として用いられることができる。たとえば、センサ１１７は、右イヤフォン１１０が係合されるときに低い光レベルを、右イヤフォン１１０が係合されないときにより高い光レベルを示す光学センサを含み得る。その他の例では、センサ１１７は、右イヤフォン１１０が係合されているときまたは外されているときを決定するために、圧力および／または電磁流および／または電磁場を用い得る。言い換えると、センサ１１７は、容量センサ、赤外線センサ、可視光光学センサ等を含み得る。
【００１１】
左イヤフォン１２０は、右イヤフォン１１０と実質的に同じであるが、ユーザの左耳に係合するように構成される。具体的には、左イヤフォン１２０は、センサ１１７、スピーカ１１５、ＦＢマイクロフォン１１３、およびＦＦマイクロフォン１２１と実質的に同じである、センサ１２７、スピーカ１２５、ＦＢマイクロフォン１２３、およびＦＦマイクロフォン１２１を含み得る。左イヤフォン１２０は、上記の右イヤフォン１１０と実質的に同じ方法で動作し得る。
【００１２】
左イヤフォン１２０および右イヤフォン１１０は、ラペルユニット１３０に左ケーブル１４２および右ケーブル１４１それぞれを介して結合され得る。左ケーブル１４２および右ケーブル１４１は、オーディオ信号、リモート音声信号、および／またはＡＮＣ信号をラペルユニットから左イヤフォン１２０および右イヤフォン１１０それぞれに伝導することができる任意のケーブルである。
【００１３】
ラペルユニット１３０は、いくつかの例では任意の要素である。ラペルユニット１３０は、１つまたは複数の音声マイクロフォン１３１および信号プロセッサ１３５を含む。音声マイクロフォン１３１は、アップリンク音声伝送のためにユーザの音声信号をたとえば通話中に記録するように構成される任意のマイクロフォンであり得る。いくつかの例では、複数のマイクロフォンは、ビームフォーミング技術をサポートするために用いられ得る。ビームフォーミングは、同じ波を複数の物理的場所から記録するために複数の受信機を用いる空間的信号処理技法である。そして記録の重み付け平均は、記録された信号として使用され得る。異なる重みを異なるマイクロフォンに適用することによって、音声マイクロフォン１３１は、仮想的に特定の方向に向けられることができ、音品質を向上させおよび／または周囲ノイズをフィルタして除去する。音声マイクロフォン１３１はまた、いくつかの例ではその他の場所に配置され得るということに留意すべきである。たとえば、音声マイクロフォン１３１は、ケーブル１４１またはケーブル１４２から右イヤフォン１１０または左イヤフォン１２０それぞれの下方に垂れ下がっていてもよい。ここに開示されたビームフォーミング技術は、わずかな幾何学的変更を伴うようなシナリオに等しく適用可能である。
【００１４】
信号プロセッサ１３５は、ケーブル１４２およびケーブル１４１を介して左イヤフォン１２０および右イヤフォン１１０に、および音声マイクロフォン１３１に結合される。信号プロセッサ１３５は、ＡＮＣ信号を生成可能、デジタルおよび／またはアナログ信号処理機能を実行可能、および／またはヘッドセット１００の動作を制御可能な任意のプロセッサである。信号プロセッサ１３５は、メモリを含み得、および／またはそれに結合され得、それによって特定の機能性のためにプログラムされ得る。信号プロセッサ１３５はまた、アナログ信号を処理のためにデジタルドメインに変換するようにおよび／またはデジタル信号をスピーカ１１５および１２５による再生のためにアナログドメインに逆変換するように構成され得る。信号プロセッサ１３５は、汎用プロセッサ、および用途特定集積回路（ＡＳＩＣ）、デジタル信号プロセッサ（ＤＳＰ）、フィールドプログラム可能なゲートアレイ（ＦＰＧＡ）、またはそれらの組み合わせとして実装され得る。
【００１５】
信号プロセッサ１３５は、センサ１１７およびセンサ１２７、ＦＢマイクロフォン１１３およびＦＢマイクロフォン１２３、ＦＦマイクロフォン１１１およびＦＦマイクロフォン１２１、および／または音声マイクロフォン１３１によって記録された信号に基づいて、ＯＥＤおよびＶＡＤを行うように構成され得る。具体的には、信号プロセッサ１３５は、ヘッドセット１００の装着位置を決定するためにさまざまなセンシング要素を用いる。言い換えると、信号プロセッサ１３５は、右イヤフォン１１０および左イヤフォン１２０が係合されているか外されているかを決定することができる。一度装着位置が決定されると、信号プロセッサ１３５は、ＶＡＤおよび対応するノイズキャンセルのための適切な信号モデルを選択できる。信号モデルは、決定された装着位置に基づいて複数の信号モデルから選択され得る。そして信号プロセッサ１３５は、ＶＡＤを行うよう選択された信号モデルを適用し、アップリンク音声伝送前にノイズを音声信号から軽減する。
【００１６】
たとえば、信号プロセッサ１３５は、ＦＦマイクロフォン１１１およびＦＦマイクロフォン１２１と、ＦＢマイクロフォン１１３およびＦＢマイクロフォン１２３とをセンシング要素として用いることによってＯＥＤを行い得る。そしてヘッドセット１００の装着位置は、ＦＦマイクロフォン１１１およびＦＦマイクロフォン１２１の信号とＦＢマイクロフォン１１３およびＦＢマイクロフォン１２３の信号との間の差それぞれに基づいて決定されることができる。差は、たとえば減算並びに送信機能を介してスペクトル比を比較する等の信号を比較する任意のその他の信号処理技法を含むことに留意すべきである。言い換えると、ＦＦマイクロフォン１１１の信号がＦＢマイクロフォン１１３の信号と実質的に同じであるとき、右イヤフォン１１０は、外されている。ＦＦマイクロフォン１１１の信号がＦＢマイクロフォン１１３の信号とは異なる（たとえば異なる波を特定された周波数バンドにおいて含む）とき、右イヤフォン１１０は係合されている。左イヤフォン１２０の係合または非係合は、ＦＦマイクロフォン１２１およびＦＢマイクロフォン１２３を用いることによって実質的に同じ方法で決定されることができる。別の例では、センシング要素は、光学センサ１１７および光学センサ１２７を含み得る。そのような場合には、ヘッドセットの装着位置は、光学センサ１１７および光学センサ１２７によって検出される光レベルに基づいて決定される。
【００１７】
信号プロセッサ１３５によって行われるＯＥＤ処理によって一度装着位置が決定されると、信号プロセッサは、さらなる処理のための適切な信号モデルを選択できる。いくつかの例では、信号モデルは、左イヤフォン係合モデル、右イヤフォン係合モデル、デュアルイヤフォン係合モデル、および非イヤフォン係合モデルを含む。左イヤフォン係合モデルは、左イヤフォン１２０が係合されており、右イヤフォン１１０が係合されていないときに用いられる。右イヤフォン係合モデルは、右イヤフォン１１０が係合されており、左イヤフォン１２０が係合されていないときに用いられる。デュアルイヤフォン係合モデルは、イヤフォン１１０およびイヤフォン１２０の両方が係合されているときに用いられる。非イヤフォン係合モデルは、イヤフォン１１０およびイヤフォン１２０両方が外されているときに用いられる。各モデルは、以下の図を参照してより詳細に議論される。
【００１８】
図２は、ノイズキャンセルを行うための例示的デュアルイヤフォン係合モデル２００の概略図である。デュアルイヤフォン係合モデル２００は、イヤフォン１１０およびイヤフォン１２０両方が正しく係合されているとＯＥＤ処理が決定するときに用いられる。このシナリオは、示される物理構成をもたらす。示される要素は、一定の縮尺で描かれていないことがあることに留意すべきである。しかし、このシナリオは、ラペルユニット１３０がケーブル１４１およびケーブル１４２を介してイヤフォン１１０およびイヤフォン１２０から垂れ下がるとともに、音声マイクロフォン１３１が一般にユーザの口の方に向けられる構成をもたらすことにも留意すべきである。さらに、イヤフォン１１０およびイヤフォン１２０は、イヤフォン１１０とイヤフォン１２０との間の平面に垂直な平面にあるユーザの口から略等距離である。この構成では、複数の処理は、ユーザの音声を検出し記録するために用いられ得、それによって周囲ノイズをそのような記録から除去する。
【００１９】
具体的には、ＶＡＤは、ＦＦマイクロフォン１１１およびＦＦマイクロフォン１２１上で受信されるオーディオ信号間の相関を検討することによって並びにビームフォーミング技術を使用して、イヤフォン１１０およびイヤフォン１２０から導出され得る。たとえば、ＦＦマイクロフォン１１１とＦＦマイクロフォン１２１との間で相関される信号は、両方の耳から等距離の略平面において発生しやすく、それによってヘッドセットユーザのスピーチまたは少なくとも部分を含みやすい。その場所から発生するこれらの波形は、バイノーラルＶＡＤとも称され得る。言い換えると、デュアルイヤフォン係合モデル２００は、左イヤフォン１２０および右イヤフォン１１０が係合されるときにノイズ信号を音声信号から分離するために、左イヤフォン１２０のＦＦマイクロフォン１２１の信号および右イヤフォン１１０のＦＦマイクロフォン１１１の信号を相関させることによって適用され得る。
【００２０】
別の例として、ブロードサイドビームフォーマ１１２は、両方の耳が口から略等距離であるため、ローカルスピーチ伝播強化のために作成され得る。言い換えると、デュアルイヤフォン係合モデル２００は、左イヤフォン１２０のＦＦマイクロフォン１２１および右イヤフォン１１０のＦＦマイクロフォン１１１を、左イヤフォン１２０および右イヤフォン１１０が係合されるときにノイズ信号を音声信号から分離するためのブロードサイドビームフォーマ１１２として用いることによって適用され得る。具体的には、ブロードサイドビームフォーマ１１２は、測定された波（たとえばスピーチ）がブロードサイドにおいて測定要素（たとえばＦＦマイクロフォン１１１およびＦＦマイクロフォン１２１）のアレイに入射し、それによって測定要素間で約１８０°の位相差が測定される任意のビームフォーマである。ＦＦマイクロフォン１１１およびＦＦマイクロフォン１２１からの信号を正しく重み付けすることによって、ブロードサイドビームフォーマ１１２は、ユーザの耳の間で発生しない音声信号（たとえばユーザの左またはユーザの右からのノイズ）を周囲ノイズから分離できる。一度ノイズ信号が分離されると、周囲ノイズは、通話中にリモートユーザにアップリンク伝送する前にフィルタされて除去される。
【００２１】
要約すれば、イヤフォン１１０およびイヤフォン１２０が良好に嵌められるとき、耳内ＦＢマイクロフォン１１３およびＦＢマイクロフォン１２３の信号とイヤフォン１１０およびイヤフォン１２０の外側のＦＦマイクロフォン１１１およびＦＦマイクロフォン１２１の信号は、２つの信号、すなわち、ユーザのローカルスピーチおよび周囲ノイズに分解されることができる。周囲ノイズはさらには、左イヤフォン１１０と右イヤフォン１２０との間で相関されない。このため信号プロセッサ１３５によって動作されるＯＥＤアルゴリズムは、ローカルスピーチをＶＡＤとして識別するために、左イヤフォン１１０と右イヤフォン１２０との間の相関、加えてＦＢマイクロフォン１１３およびＦＢマイクロフォン１２３とＦＦマイクロフォン１１１およびＦＦマイクロフォン１２１との相関の使用を可能とし得る。さらに、この処理は、ブラインド音源分離アルゴリズムを実行したとき、ローカルスピーチが混ざっていないノイズ信号を提供し得る。
【００２２】
ローカルスピーチ推定は、ラペルユニット１３０からの入力を垂直エンドファイアビームフォーマ１３２として使用してさらに精緻にされ得る。エンドファイアビームフォーマ１３２は、任意のビームフォーマであり、測定される波（たとえばスピーチ）は、測定要素（たとえば音声マイクロフォン１３１）のアレイに直接入射し、それによって小さな角度の位相差（たとえば１０度以下）が測定要素間で測定される。エンドファイアビームフォーマ１３２は、２つ以上の音声マイクロフォン１３１を用いることによって作成され得る。そして音声マイクロフォン１３１は、イヤフォン１１０およびイヤフォン１２０の両方が係合されているときに垂直エンドファイアビームフォーマ１３２の真上にあるユーザの口の方に向かって垂直に垂直エンドファイアビームフォーマ１３２を仮想的に向けるように重み付けされ得る。言い換えると、音声マイクロフォン１３１は、左イヤフォン１２０および右イヤフォン１１０に結合されたラペルユニット１３０内に配置され得る。それゆえ、デュアルイヤフォン係合モデル２００が適用されるとき、音声マイクロフォン１３１は、左イヤフォン１２０および右イヤフォン１１０が係合されるときにノイズ信号を音声信号から分離するための垂直エンドファイアビームフォーマ１３２として用いられ得る。
【００２３】
単一のイヤホンが耳に挿入されていない場合、上述された多くの手法が正しく機能しないということに留意すべきである。これは、ユーザがローカル環境の認識を維持しようとしながら音声電話を取るときに起こり得る。そのため、ＯＥＤに従いイヤフォン１１０およびイヤフォン１２０が耳に良好に嵌められていないときを検出することが望ましい。それゆえ、ＯＥＤ機構は、たとえば以下のようにイヤフォンが係合されないときに誤った結果を除去し、ブロードサイドビームフォーマ１１２をオフにすることによって、バイノーラルＶＡＤを向上するために使用されることができる。
【００２４】
図３は、ノイズキャンセルを行うための例示的右イヤフォン係合モデル３００の概略図である。右イヤフォン係合モデル３００は、右イヤフォン１１０が係合されており左イヤフォン１２０が外されているとＯＥＤ処理が決定するときに用いられる。このシナリオは、ラペルユニット１３０からケーブル１４２を介して垂れ下がっている左イヤフォン１２０を含む、示されるような物理構成をもたらし得る。見られるように、ＦＦマイクロフォン１１１およびＦＦマイクロフォン１２１は、ユーザの口上方でもはや等距離ではない。それゆえＦＦマイクロフォン１１１およびＦＦマイクロフォン１２１をブロードサイドビームフォーマ１１２として用いる任意の試みは、誤ったデータをもたらす。たとえば、そのような使用は、実際には音声信号を弱め、ノイズを増幅し得る。それゆえ、ブロードサイドビームフォーマ１１２は、右イヤフォン係合モデル３００ではオフにされる。
【００２５】
さらに、左イヤフォン１２０は、もはや係合されず、それによってＦＦマイクロフォン１２１およびＦＢマイクロフォン１２３を比較することは、マイクロフォンがもはや音響的に分離されていないので、誤ったデータをもたらし得る。言い換えると、ＦＦマイクロフォン１２１およびＦＢマイクロフォン１２３の信号は、この構成では実質的に同じであり、周囲ノイズとユーザ音声との間でもはや正しく区別されない。そのため、右イヤフォン係合モデル３００は、右イヤフォン１１０が係合されており左イヤフォン１２０が係合されないときに左イヤフォン１２０のマイクロフォンを考慮することなくノイズ信号を音声信号から分離するために、右イヤフォン１１０のＦＦマイクロフォン１１１および右イヤフォン１１０のＦＢマイクロフォン１１３を用いることによって適用される。
【００２６】
加えて、ラペルユニット１３０は、係合された右イヤフォン１１０からケーブル１４１を介して垂れ下がるときに真直の垂直構成に対して左に傾けられ得る。そのため、正確な音声絶縁をサポートするために、ビームフォーマは、ユーザの口の方を向くように調整され得る。そのように調整されるとき、ビームフォーマは、右指向性エンドファイアビームフォーマ１３３とも称され得、右指向性は、垂直ビームフォーマ１３２の右へのずれを示す。右指向性エンドファイアビームフォーマ１３３は、音声マイクロフォン１３１の重みを一番右の音声マイクロフォン１３１によって記録された音声信号を強調するように調整することによって作成され得る。それゆえ、右イヤフォン係合モデル３００は、音声マイクロフォン１３１を、右イヤフォン１１０が係合されており左イヤフォン１２０が係合されないときにノイズ信号を音声信号から分離するための右指向性エンドファイアビームフォーマ１３３として用いることによって適用され得る。
【００２７】
図４は、ノイズキャンセルを行うための例示的左イヤフォン係合モデル４００の概略図である。左イヤフォン係合モデル４００は、左イヤフォン１２０が係合されており右イヤフォン１１０が外されているとＯＥＤ処理が決定するときに用いられる。これは、右イヤフォン１１０がラペルユニット１３０からケーブル１１０を介して垂れ下がり、ラペルユニット１３０が左イヤフォン１２０からケーブル１４２を介して垂れ下がることをもたらす。左イヤフォン係合モデル４００は、すべての指向性処理が逆転した状態の右イヤフォン係合モデル３００と実質的に同じである。言い換えると、ブロードサイドビームフォーマ１１２は、オフにされる。さらに、左イヤフォン係合モデル４００は、ノイズ信号を音声信号から分離するため、左イヤフォン１２０のＦＦマイクロフォン１２１および左イヤフォン１２０のＦＢマイクロフォン１２３を用いることによって適用される。しかし、右イヤフォン１１０のマイクロフォンは、左イヤフォン１２０が係合されており右イヤフォン１１０が係合されないときに考慮されない。
【００２８】
加えて、ラペルユニット１３０の音声マイクロフォン１３１は、左イヤフォン係合モデル４００では垂直位置の右の方に向けられる。そのため、ビームフォーマは、正確な音声絶縁をサポートするために、ユーザの口の方を向くように調整され得る。そのように調整されるとき、ビームフォーマは、左指向性エンドファイアビームフォーマ１３４とも称され得、左指向性は垂直ビームフォーマ１３２の左へのずれを示す。左指向性エンドファイアビームフォーマ１３４は、音声マイクロフォン１３１の重みを一番左の音声マイクロフォン１３１によって記録された音声信号を強調するように調整することによって作成され得る。したがって、左イヤフォン係合モデル４００は、音声マイクロフォン１３１を、左イヤフォン１２０が係合され右イヤフォン１１０が係合されていないときにノイズ信号を音声信号から分離するための左指向性エンドファイアビームフォーマ１３４として用いることによって適用される。
【００２９】
図５は、ノイズキャンセルを行うための例示的非イヤフォン係合モデル５００の概略図である。非係合モデル５００では、イヤフォン１１０およびイヤフォン１２０のいずれも正しく係合されていない。そのようなシナリオでは、ＡＮＣを行うための任意の試みは、音声を弱めおよび／またはノイズを増幅させる可能性がある。従って、非イヤフォン係合モデル５００は、左イヤフォン１２０および右イヤフォン１１０が両方外されるときに追加されたノイズを軽減するためにビームフォーマの使用を中止することによって適用される。さらに、ＦＢマイクロフォン１１３およびＦＢマイクロフォン１２３のＦＦマイクロフォン１１１およびＦＦマイクロフォン１２１それぞれとの相関は、弱められた音声および／または増幅されたノイズの可能性を軽減するために中止され得る。
【００３０】
要約すれば、信号プロセッサ１３５は、装着位置に基づいて信号処理モデル２００、３００、４００、および／または５００を用いることができ、通話中にアップリンク伝送前に記録された音声信号内の周囲ノイズの軽減をサポートする。これらのサブシステムは、ＶＡＤモジュールおよびＯＥＤモジュールといった、信号プロセッサ内の別モジュールにおいて実装され得る。これらのモジュールは、音声検出およびノイズ軽減の精度を増加させるためにタンデムに動作し得る。たとえば、イヤフォン１１０および１２０マイクロフォンから導出されるＶＡＤは、上述の伝播ノイズ削減を改善するために使用され得る。これは、複数の方法で行われることができる。ＶＡＤは、マイクロフォンポッド／アレイ内のビームフォーミングの適合のためのガイドとして用いられ得る。適合的なビームフォーマは、スピーチのような信号に対して記録された音を分析することによって最終のビーム方向を決定し得る。マイクロフォンからのスピーチ検出の問題は自明ではなく、偽陰性および偽陽性の両方によって悩まされる可能性があることに留意すべきである。改善されたＶＡＤ（たとえばヘッドセット１００ユーザが話しているときに認識すること）は、増加された指向精度によって適合的ビームフォーマパフォーマンスを向上する。さらに、ＶＡＤは、ヘッドセット１００のユーザが話していないときに伝播信号をゼロに落とすスマートミュート処理のための入力として用いられ得る。ＶＡＤはまた、連続適合ＡＮＣシステムへの入力として用いられ得る。連続適合ＡＮＣシステムでは、ＦＢマイクロフォン信号は、ダウンリンク信号のみとして扱われ得、それによって概ねノイズがない。ＦＢマイクロフォンはまた、係合されるときに、ユーザからのローカルトークの成分を記録し得、これは信号プロセッサ１３５が、ヘッドセット１００のユーザが話していることが確実である時に除去されることができる。また、適合中にヘッドセット１００のユーザが話しているときに、ＦＦ適合は、正確性が比較的低いことが一般に観察される。従って、ＶＡＤは、ユーザが話しているときに適合をフリーズさせるために用いられ得る。
【００３１】
ＯＥＤモジュールは、イヤフォンから導出される情報の出力を無視するための機構として機能し得る。ＯＥＤ検出は、情報の有用性に影響を与えることなくＦＦ信号をＦＢ信号レベルと比較するといった様々な機構によって行われることができる。イヤフォンに対してＯＥＤが決定されるときに、ノイズ削減またはＶＡＤ（たとえばビームフォーミング、ＦＦ−左信号およびＦＦ−右信号を相関させること、ブラインドソース分離、またはその他機構を介して）のいずれかのために、ローカルスピーチ推定を得るために使用されたイヤフォンマイクロフォン間の相関は覚えられる。そのため、ＯＥＤは、ＶＡＤおよびＦＦおよび／またはＦＢマイクロフォン信号を使用する任意のアルゴリズムへの入力となる。また、上述のように、ＦＦマイクロフォンを使用するビームフォーミングは、いずれかのイヤフォンが外されるときに有効ではない。
【００３２】
図６は、たとえばモデル２００、３００、４００、および／または５００に従うヘッドセット１００の処理信号を用いることによって、アップリンク伝送中にノイズキャンセルを行うための例示的方法６００のフローチャートである。いくつかの例では、方法６００は、メモリ内に格納され、信号プロセッサ１３５および／またはここに開示された任意のその他ハードウェア、ファームウェア、またはその他の処理システムによって実行されるコンピュータプログラム製品として実装され得る。
【００３３】
ブロック（６０１）において、ヘッドセットの装着位置を決定するために、ヘッドセット１００のＦＢマイクロフォン１１３およびＦＢマイクロフォン１２３、ＦＦマイクロフォン１１１およびＦＦマイクロフォン１２１、センサ１１７およびセンサ１２７、および／または音声マイクロフォン１３１といったセンシング要素が用いられる。装着位置は、記録されたオーディオ信号を相関する、光学および／または圧力センサ等を考慮する等のここに開示された任意の機構によって決定され得る。一度ＯＥＤに従い装着位置が決定されると、信号モデルは、ブロック６０３においてノイズキャンセルのために選択され得る。信号モデルは、決定された装着位置に基づいて複数の信号モデルから選択され得る。上記のように、複数のモデルは、左イヤフォン係合モデル４００、右イヤフォン係合モデル３００、デュアルイヤフォン係合モデル２００、および非イヤフォン係合モデル５００を含み得る。
【００３４】
ブロック（６０５）において、音声信号は、ヘッドセットに結合された音声マイクロフォン１３１といった１つまたは複数の音声マイクロフォンにおいて記録される。さらに、ブロック６０７において、選択されたモデルは、音声伝送前に音声信号からのノイズを軽減するために適用される。ブロック６０７がブロック６０５の後におよび／または一緒に適用され得るということに留意すべきである。上記のように、デュアルイヤフォン係合モデルを適用することは、左イヤフォンのＦＦマイクロフォンおよび右イヤフォンのＦＦマイクロフォンを、左イヤフォンおよび右イヤフォンが係合するときにノイズ信号を音声信号から分離するためのブロードサイドビームフォーマとして用いることを含み得る。さらに、デュアルイヤフォン係合モデルを適用することはまた、音声マイクロフォンを、左イヤフォンおよび右イヤフォンが係合するときにノイズ信号を音声信号から分離するための垂直エンドファイアビームフォーマとして用いることを含み得る。いくつかの例では、デュアルイヤフォン係合モデルを適用することはまた、左イヤフォンおよび右イヤフォンが係合するときにノイズ信号を音声信号から分離するために、左イヤフォンのフィードフォワード（ＦＦ）マイクロフォン信号および右イヤフォンのＦＦマイクロフォン信号を相関することを含み得る。また、ブロック６０７において非イヤフォン係合モデルを適用することは、左イヤフォンおよび右イヤフォンが両方外れているときに追加されたノイズを軽減するために、ビームフォーマの使用を中止することを含む。
【００３５】
さらに、ブロック６０７において右イヤフォン係合モデルを適用することは、右イヤフォンのＦＦマイクロフォンおよび右イヤフォンのＦＢマイクロフォンを、右イヤフォンが係合しており左イヤフォンが外されているときに左イヤフォンマイクロフォンを考慮することなくノイズ信号を音声信号から分離するために用いることを含む。ブロック６０７において右イヤフォン係合モデルを適用することはまた、音声マイクロフォンを、右イヤフォンが係合しており左イヤフォンが外されているときにノイズ信号を音声信号から分離するための右指向性エンドファイアビームフォーマとして用いることを含み得る。
【００３６】
加えて、ブロック６０７において左イヤフォン係合モデルを適用することは、左イヤフォンのＦＦマイクロフォンおよび左イヤフォンのＦＢマイクロフォンを、左イヤフォンが係合しており右イヤフォンが外されているときに右イヤフォンマイクロフォンを考慮することなくノイズ信号を音声信号から分離するために用いることを含む。最後に、ブロック６０７において左イヤフォン係合モデルを適用することはまた、音声マイクロフォンを、左イヤフォンが係合しており右イヤフォンが外されているときにノイズ信号を音声信号から分離するための左指向性エンドファイアビームフォーマとして用いることを含み得る。
【００３７】
本開示の例は、特別に作成されたハードウェア上、ファームウェア上、デジタル信号プロセッサ、またはプログラムされた命令に従って動作するプロセッサを含む特別にプログラムされた汎用コンピュータ上で動作し得る。ここで使用される「コントローラ」または「プロセッサ」という用語は、マイクロプロセッサ、マイクロコンピュータ、特定用途向け集積回路（ＡＳＩＣ）、および専用ハードウェアコントローラを含むことを意図している。本開示の１つまたは複数の局面は、１つまたは複数のプロセッサ（監視モジュールを含む）または他のデバイスによって実行される１つまたは複数のプログラムモジュール内などのコンピュータ使用可能データおよびコンピュータ実行可能命令（たとえばコンピュータプログラム製品）で実装され得る。一般に、プログラムモジュールは、ルーチン、プログラム、オブジェクト、コンポーネント、データ構造等を含み、それは、コンピュータまたは他の装置内のプロセッサによって実行されたときに特定のタスクを実行するかまたは特定の抽象データ型を実装する。コンピュータ実行可能命令は、ランダムアクセスメモリ（ＲＡＭ）、読み出し専用メモリ（ＲＯＭ）、キャッシュ、電気的消去可能プログラマブル読み出し専用メモリ（ＥＥＰＲＯＭ）、フラッシュメモリ、または他のメモリ技術などの非一時的コンピュータ可読媒体、その他の揮発性または不揮発性の任意の技術で実装されたリムーバブルまたはノンリムーバブルのメディア上に格納され得る。コンピュータ可読媒体は、信号自体および一時的な形態の信号伝送を除外する。さらに、機能は、全体的にまたは部分的にファームウェアまたはハードウェア均等物、たとえば集積回路、フィールドプログラマブルゲートアレイ（ＦＰＧＡ）などで具現化され得る。本開示の１つまたは複数の局面をより効果的に実施するために特定のデータ構造を使用し得、そのようなデータ構造は、本明細書に記載のコンピュータ実行可能命令およびコンピュータ使用可能データの範囲内で企図される。
【００３８】
本開示の局面は、様々な修正形態および代替形態で動作する。特定の局面は、図面に例として示されており、以下に詳細に説明される。しかし、本明細書に開示された例は説明を明確にする目的で提示されたものであり、明示的に限定されない限り、開示された一般的概念の範囲をここに記載された特定の例に限定することを意図しない。したがって、本開示は、添付の図面および特許請求の範囲に照らして、説明された局面のすべての修正形態、均等形態、および代替形態を網羅することを意図している。
【００３９】
明細書における実施形態、局面、例などへの言及は、説明された項目が特定の特徴、構造、または特性を含み得ることを示している。しかし、開示されたあらゆる局面は、必ずしもその特定の特徴、構造、または特性を含んでも含まなくてもよい。さらに、そのような表現は、特に明記しない限り、必ずしも同じ局面を指すとは限らない。さらに、特定の特徴、構造、または特性が特定の局面に関連して説明されるとき、そのような特徴、構造、または特性は、そのような特徴がそのような他の開示される局面に関連して明示的に説明されるかどうかにかかわらず別の開示の局面に関連して採用されることができる。
【００４０】
例
ここに開示された技術の図示の例は、以下に提供される。技術の実施形態は、以下に説明される任意の１つまたは複数の例、およびそれらの任意の組み合わせを含み得る。
【００４１】
例１は、１つまたは複数のセンシング要素を含む１つまたは複数のイヤフォンと、音声伝送のために音声信号を記録するための１つまたは複数の音声マイクロフォンと、イヤフォンおよび音声マイクロフォンに結合された信号プロセッサとを備えるヘッドセットを含み、信号プロセッサは、ヘッドセットの装着位置を決定するためにセンシング要素を用い、ノイズキャンセルのための信号モデルを選択するよう構成され、信号モデルは、決定された装着位置に基づいて複数の信号モデルから選択され、信号プロセッサはさらに、選択された信号モデルを音声伝送前に音声信号からのノイズを軽減するために適用する。
【００４２】
例２は、例１のヘッドセットを含み、センシング要素は、フィードフォワード（ＦＦ）マイクロフォンおよびフィードバック（ＦＢ）マイクロフォンを含み、ヘッドセットの装着位置は、ＦＦマイクロフォン信号とＦＢマイクロフォン信号との間の差分に基づき決定される。
【００４３】
例３は、例１〜例２のいずれかのヘッドセットを含み、センシング要素は、光学センサ、容量センサ、赤外線センサ、またはそれらの組み合わせを含む。
【００４４】
例４は、例１〜例３のいずれかのヘッドセットを含み、１つまたは複数のイヤフォンは、左イヤフォンおよび右イヤフォンを含み、複数の信号モデルは、左イヤフォン係合モデル、右イヤフォン係合モデル、デュアルイヤフォン係合モデル、および非イヤフォン係合モデルを含む。
【００４５】
例５は、例１〜例４のいずれかのヘッドセットを含み、デュアルイヤフォン係合モデルは、左イヤフォンのフィードフォワード（ＦＦ）マイクロフォンおよび右イヤフォンのＦＦマイクロフォンを、左イヤフォンおよび右イヤフォンが係合するときにノイズ信号を音声信号から分離するためのブロードサイドビームフォーマとして用いることによって適用される。
【００４６】
例６は、例１〜例５のいずれかのヘッドセットを含み、音声マイクロフォンは、左イヤフォンおよび右イヤフォンに結合されたラペルユニット内に配置され、デュアルイヤフォン係合モデルは、音声マイクロフォンを、左イヤフォンおよび右イヤフォンが係合するときにノイズ信号を音声信号から分離するための垂直エンドファイアビームフォーマとして用いることによって適用される。
【００４７】
例７は、例１〜例６のいずれかのヘッドセットを含み、デュアルイヤフォン係合モデルは、左イヤフォンおよび右イヤフォンが係合するときにノイズ信号を音声信号から分離するために、左イヤフォンのフィードフォワード（ＦＦ）マイクロフォン信号および右イヤフォンのＦＦマイクロフォン信号を相関させることによって適用される。
【００４８】
例８は、例１〜例７のいずれかのヘッドセットを含み、非イヤフォン係合モデルは、左イヤフォンおよび右イヤフォンが両方外れているときに追加されたノイズを軽減するために、ビームフォーマの使用を中止することによって適用される。
【００４９】
例９は、例１〜例８のいずれかのヘッドセットを含み、左イヤフォン係合モデルは、左イヤフォンのフィードフォワード（ＦＦ）マイクロフォンおよび左イヤフォンのフィードバック（ＦＢ）マイクロフォンを、左イヤフォンが係合しており右イヤフォンが外されているときに右イヤフォンマイクロフォンを考慮することなくノイズ信号を音声信号から分離するために用いることによって適用される。
【００５０】
例１０は、例１〜例９のいずれかのヘッドセットを含み、音声マイクロフォンは、左イヤフォンおよび右イヤフォンに結合されたラペルユニット内に配置され、左イヤフォン係合モデルは、音声マイクロフォンを、左イヤフォンが係合しており右イヤフォンが外されているときにノイズ信号を音声信号から分離するための左指向性エンドファイアビームフォーマとして用いることによって適用される。
【００５１】
例１１は、例１〜例１０のいずれかのヘッドセットを含み、右イヤフォン係合モデルは、右イヤフォンのフィードフォワード（ＦＦ）マイクロフォンおよび右イヤフォンのフィードバック（ＦＢ）マイクロフォンを、右イヤフォンが係合しており左イヤフォンが外されているときに左イヤフォンマイクロフォンを考慮することなくノイズ信号を音声信号から分離するために用いることによって適用される。
【００５２】
例１２は、例１〜例１１のいずれかのヘッドセットを含み、音声マイクロフォンは、左イヤフォンおよび右イヤフォンに結合されたラペルユニット内に配置され、右イヤフォン係合モデルは、音声マイクロフォンを、右イヤフォンが係合しており左イヤフォンが外されているときにノイズ信号を音声信号から分離するための右指向性エンドファイアビームフォーマとして用いることによって適用される。
【００５３】
例１３は、方法を含み、方法は、ヘッドセットの装着位置を決定するためにヘッドセットのセンシング要素を用いることと、ノイズキャンセルのための信号モデルを選択することとを備え、信号モデルは決定された装着位置に基づいて複数の信号モデルから選択され、方法はさらに、音声信号をヘッドセットに結合された１つまたは複数の音声マイクロフォンにおいて記録することと、選択された信号モデルを音声伝送前に音声信号からのノイズを軽減するために適用することとを備える。
【００５４】
例１４は、例１３の方法を含み、ヘッドセットは、左イヤフォンおよび右イヤフォンを含み、複数の信号モデルは、左イヤフォン係合モデル、右イヤフォン係合モデル、デュアルイヤフォン係合モデル、および非イヤフォン係合モデルを含む。
【００５５】
例１５は、例１３〜例１４のいずれかの方法を含み、デュアルイヤフォン係合モデルを適用することは、左イヤフォンのフィードフォワード（ＦＦ）マイクロフォンおよび右イヤフォンのＦＦマイクロフォンを、左イヤフォンおよび右イヤフォンが係合するときにノイズ信号を音声信号から分離するためのブロードサイドビームフォーマとして用いることを含む。
【００５６】
例１６は、例１３〜例１５のいずれかの方法を含み、音声マイクロフォンは、左イヤフォンおよび右イヤフォンに結合されたラペルユニット内に配置され、およびデュアルイヤフォン係合モデルを適用することは、音声マイクロフォンを、左イヤフォンおよび右イヤフォンが係合するときにノイズ信号を音声信号から分離するための垂直エンドファイアビームフォーマとして用いることを含む。
【００５７】
例１７は、例１３〜例１６のいずれかの方法を含み、デュアルイヤフォン係合モデルを適用することは、左イヤフォンおよび右イヤフォンが係合するときにノイズ信号を音声信号から分離するために、左イヤフォンのフィードフォワード（ＦＦ）マイクロフォン信号および右イヤフォンのＦＦマイクロフォン信号を相関させることを含む。
【００５８】
例１８は、例１３〜例１７のいずれかの方法を含み、非イヤフォン係合モデルを適用することは、左イヤフォンおよび右イヤフォンが両方外れているときに追加されたノイズを軽減するためにビームフォーマの使用を中止することを含む。
【００５９】
例１９は、例１３〜例１８のいずれかの方法を含み、右イヤフォン係合モデルを適用することは、右イヤフォンのフィードフォワード（ＦＦ）マイクロフォンおよび右イヤフォンのフィードバック（ＦＢ）マイクロフォンを、右イヤフォンが係合しており左イヤフォンが外されているときに左イヤフォンマイクロフォンを考慮することなくノイズ信号を音声信号から分離するために用いることを含む。
【００６０】
例２０は、例１３〜例１９のいずれかの方法を含み、音声マイクロフォンは、左イヤフォンおよび右イヤフォンに結合されたラペルユニット内に配置され、左イヤフォン係合モデルを適用することは、音声マイクロフォンを、左イヤフォンが係合しており右イヤフォンが外されているときにノイズ信号を音声信号から分離するための左指向性エンドファイアビームフォーマとして用いることを含む。
【００６１】
例２１は、信号プロセッサ上で実行されるとヘッドセットに例１３〜例２０のいずれかに従う方法を行わせるコンピュータプログラム製品を含む。
【００６２】
開示された主題の前述の例は、説明されたかまたは当業者に明らかであるかのいずれかである多くの利点を有する。そうであっても、開示された装置、システム、または方法のすべてのバージョンにおいて、これらの利点または特徴のすべてが必要なわけではない。
【００６３】
追加的に、この明細書による説明は特定の特徴を参照している。本明細書における開示はそれらの特定の特徴の全ての可能な組み合わせを含むことが理解されるべきである。特定の特徴が特定の局面または例の文脈で開示されている場合、その特徴は可能な範囲で他の局面および例の文脈でも使用することができる。
【００６４】
また、本出願において２つ以上の規定されたステップまたは操作を有する方法について言及される場合、文脈がそれらの可能性を排除しない限り、規定されたステップまたは操作は任意の順序でまたは同時に実施され得る。
【００６５】
本開示の特定の例が例示の目的で図示され説明されてきたが、本開示の精神および範囲から逸脱することなく様々な修正がなされ得ることが理解されるであろう。したがって、本開示は添付の特許請求の範囲による以外に限定されるべきではない。
【図１】
2019537398.tif 000003
【図２】
2019537398.tif 000004
【図３】
2019537398.tif 000005
【図４】
2019537398.tif 000006
【図５】
2019537398.tif 000007
【図６】
2019537398.tif 000008
【国際調査報告】
2019537398.tif 000009
2019537398.tif 000010
2019537398.tif 000011